(57)【要約】      （修正有）【課題】加熱装置において固形燃料の位置を移動可能として固形燃料の燃焼火力を調節することができる加熱装置及び加熱装置セットを提供する。【解決手段】加熱装置１０は、上下端が開放された筒状に形成され、上端の開口縁部２１において調理器具７０としての鉄板７２を係止可能とするとともに、平面視における前壁部２３に下端側から上端側に向かって切り欠いて設けられた出入り口２２を有するハウジング２０と、出入り口２２を通過してハウジング２０内外を出入り可能とされ、固形燃料９０が載置される引き出し４０と、ハウジング２０の内側壁に固定され引き出し４０の左右の下縁を摺動可能に支持する支持枠と、を備え、支持枠を上下方向に複数段配設して、固形燃料９０の位置を上下方向において移動可能とする。【選択図】図５
0003184757.tif 000002
【実用新案登録請求の範囲】
【請求項１】
上下端が開放された筒状に形成され、上端の開口縁部において調理器具を係止可能とするとともに、前壁部に下端側から上端側に向かって切り欠いて設けられた出入り口を有するハウジングと、
前記出入り口を通過して前記ハウジング内外を出入り可能とされ、固形燃料が載置される引き出しと、
前記ハウジングの内側壁に固定され前記引き出しの左右の下縁を摺動可能に支持する支持枠と、
を備える加熱装置であって、
前記支持枠が、上下方向に複数段配設されていることを特徴とする加熱装置。
【請求項２】
前記開口縁部に、調理器具支持部材が係止され、
前記調理器具支持部材が、上下方向に貫通する貫通孔を有し、
前記貫通孔が、平面視において、前記ハウジングの形状と異なる調理器具の形状に対応して形成され、
前記貫通孔の内周縁部において調理器具を係止可能に形成されていることを特徴とする請求項１記載の加熱装置。
【請求項３】
請求項１又は２に記載の加熱装置と、調理器具と、固形燃料と、を備えることを特徴とする加熱装置セット。
【考案の詳細な説明】
【技術分野】
【０００１】
本考案は、屋外においてストーブや調理器具等に使用可能な加熱装置及び加熱装置セットに関するものである。
【背景技術】
【０００２】
従来の固形燃料を使用する加熱装置としては、本出願人が先にした特許文献１に記載されるものがあり、これによれば、筒状のハウジングを備え、ハウジングの下部には、固形燃料缶を出し入れ可能な収納部が設けられ、ハウジングの上端は炊飯具を嵌合可能な形状に開口して、固形燃料の燃焼時の熱エネルギーを利用してストーブや調理器具として使用することとされていた。
【先行技術文献】
【特許文献】
【０００３】
【特許文献１】実用新案登録第３１２４０８１号公報
【考案の概要】
【考案が解決しようとする課題】
【０００４】
しかし、上記の加熱装置では、固形燃料に付属した円環状の板を用いて、固形燃料缶の開口部への空気の流量を加減して、燃焼火力を調節することが行われていたが、加熱装置側で固形燃料の燃焼火力を調節可能とすることが望まれていた。
【０００５】
本考案は、加熱装置において固形燃料の位置を移動可能として固形燃料の燃焼火力を調節することができる加熱装置及び加熱装置セットを提供することを目的とする。
【課題を解決するための手段】
【０００６】
請求項１記載の考案の加熱装置では、上下端が開放された筒状に形成され、上端の開口縁部において調理器具を係止可能とするとともに、前壁部に下端側から上端側に向かって切り欠いて設けられた出入り口を有するハウジングと、出入り口を通過してハウジング内外を出入り可能とされ、固形燃料が載置される引き出しと、ハウジングの内側壁に固定され引き出しの左右の下縁を摺動可能に支持する支持枠と、を備える加熱装置であって、支持枠が、上下方向に複数段配設されている。
【０００７】
これによれば、上下方向に複数段配設された支持枠により、固形燃料が載置される引き出しの上下方向における位置を変更させて、ハウジングの上端の開口縁部で係止される調理器具に対する位置を近づけたり、遠ざけたりすることが可能となり、固形燃料の燃焼火力を調節することができる。
【０００８】
請求項２記載の考案のように、開口縁部に、調理器具支持部材を係止させ、調理器具支持部材は、上下方向に貫通する貫通孔を有するものとし、貫通孔を、平面視において、ハウジングの形状と異なる調理器具の形状に対応して形成し、貫通孔の内周縁部において調理器具を係止可能に形成する構成とすれば、ハウジングと調理器具とが、平面視における形状が異なる場合でも、調理器具支持部材を介して調理器具を使用することができる。
【０００９】
請求項３記載の考案では、請求項１又は２に記載の加熱装置と、調理器具と、固形燃料と、を備えることを特徴とする加熱装置セットとしている。
【図面の簡単な説明】
【００１０】
【図１】本考案の一実施形態の加熱装置セットの使用状態における斜視図である。
【図２】同実施形態の加熱装置の分解斜視図である。
【図３】図１におけるＩＩＩ−ＩＩＩ間部分断面図である。
【図４】同実施形態の収納状態の斜視図である。
【図５】同実施形態の調理器具に鉄板を使用した状態の斜視図である。
【図６】同実施形態の調理器具に焼き網を使用した状態の斜視図である。
【考案を実施するための形態】
【００１１】
本考案の一実施形態の加熱装置について図面に基づいて説明する。以下の説明において、図１の矢印の、Ｆを前、ＲＥを後ろ、Ｒを右、Ｌを左、Ｕを上、Ｄを下、とする。
【００１２】
加熱装置セット１００は、概略的には図１〜６に示すように、加熱装置１０と、調理器具７０と、固形燃料９０と、を備え、固形燃料９０の燃焼時の熱エネルギーを利用して、暖をとるストーブや、加熱調理を行なう器具として使用するものである。
【００１３】
加熱装置１０は、図１〜４に示すように、ハウジング２０と、引き出し４０と、支持枠５０と、調理器具支持部材６０と、を有している。
【００１４】
ハウジング２０は、図１〜４に示すように、金属製で前壁部２３、左壁部２４、右壁部２５、後壁部２６を有し、上下端が開放された四角筒状に形成されている。
【００１５】
ハウジング２０の上端の開口縁部２１は、調理器具７０を係止可能とされている。
【００１６】
前壁部２３は、下端側から上端側に向かって切り欠かれて設けられ、前後方向からみて矩形状の出入り口２２を有している。出入り口２２の左右の端部には、上下方向に沿って長尺板状のガイド部材２７、２８が配設され、前壁部２３とガイド部材２７、２８との隙間で、後述するスライド扉３０が上下方向に摺動可能とされている。
【００１７】
左壁部２４、右壁部２５、後壁部２６には、複数の長円状の通気孔２９がそれぞれ配設されている。
【００１８】
スライド扉３０は、図２、４に示すように、金属製で、出入り口２２を閉塞可能な矩形平板状に形成され、上端縁部に前側に突出する上突片３１と、下端部に前側に突出する下突片３２と、を有している。
【００１９】
上突片３１は、スライド扉３０の左右方向の幅と同じ幅に形成され、下面側がガイド部材２７、２８の上端部と当接してストッパーとして機能する。下突片３２は、上突片３１より幅狭でガイド部材２７、２８と干渉しない幅に形成されている。
【００２０】
取っ手３３は、図１〜４に示すように、一端を左壁部２４に、他端を右壁部２５に、枢支され、左右方向を軸として回動可能とされている。
【００２１】
引き出し４０は、図１〜３に示すように、金属製で、下面に開放部分を有する箱状に形成され、固形燃料９０が載置される載置部４１と、長尺状で断面Ｌ字状に形成され固形燃料９０の前後左右方向での移動を規制する四枚の規制板４２と、を有し、出入り口２２を通過してハウジング２０内外を出入り可能とされている。
【００２２】
各規制板４２は、一方の辺の外面４２ａで載置部４１の上面に止着されている。各規制板４２の他方の上方に向かって延びる辺の内面４２ｂは、平面視において、四つの規制板４２の内面４２ｂで、固形燃料９０を囲むように配置されている。
【００２３】
支持枠５０は、図１〜３に示すように、左上支持枠５１と、左下支持枠５２と、右上支持枠５３と、右下支持枠５４と、を有している。
【００２４】
左上支持枠５１及び左下支持枠５２は、正面視において、ハウジング２０の左壁部２４の内側壁２４ａ側で上下方向に延びる第一の垂直部５１ａ、５２ａと、第一の垂直部５１ａ、５２ａの上端部から右方向に延びる第一の水平部５１ｂ、５２ｂと、第一の水平部５１ｂ、５２ｂの右端部から下方向に延びる第二の垂直部５１ｃ、５２ｃと、第二の垂直部５１ｃ、５２ｃの下端部から右方向に延びる第二の水平部５１ｄ、５２ｄと、を有し、前後方向に延びて形成されている。
【００２５】
右上支持枠５３と及び右下支持枠５４は、正面視において、ハウジング２０の右壁部２５の内側壁２５ａ側で上下方向に延びる第一の垂直部５３ａ、５４ａと、第一の垂直部５３ａ、５４ａの上端部から左方向に延びる第一の水平部５３ｂ、５４ｂと、第一の水平部５３ｂ、５４ｂの左端部から下方向に延びる第二の垂直部５３ｃ、５４ｃと、第二の垂直部５３ｃ、５４ｃの下端部から左方向に延びる第二の水平部５３ｄ、５４ｄと、を有し、前後方向に延びて形成されている。
【００２６】
左上支持枠５１及び左下支持枠５２は、上下方向に間隔を設けて、第一の垂直部５１ａ、５２ａの左壁部２４の内側壁２４ａ側の端面で、左壁部２４の内側壁２４ａにリベット締め等で止着されている。
【００２７】
右上支持枠５３及び右下支持枠５４は、上下方向に間隔を設けて、第一の垂直部５３ａ、５４ａの右壁部２５の内側壁２５ａ側の端面で、右壁部２５の内側壁２５ａにリベット締め等で止着されている。
【００２８】
左上支持枠５１及び右上支持枠５３は、左上支持枠５１の第二の水平部５１ｄと、右上支持枠５３の第二の水平部５３ｄとが、ハウジング２０の下端からの高さが同じとなるように配置され、引き出し４０の左右の下縁を摺動可能に支持するものとされている。また、左上支持枠５１の第二の垂直部５１ｃと、右上支持枠５３の第二の垂直部５３ｃとが、引き出し４０の左右方向への移動を規制するガイドとして機能する。
【００２９】
左下支持枠５２及び右下支持枠５４は、左下支持枠５２の第二の水平部５２ｄと、右下支持枠５４の第二の水平部５４ｄとが、ハウジング２０の下端からの高さが同じとなるように配置され、引き出し４０の左右の下縁を摺動可能に支持するものとされている。また、左下支持枠５２の第二の垂直部５２ｃと、右下支持枠５４の第二の垂直部５４ｃが、引き出し４０の左右方向への移動を規制するガイドとして機能する。
【００３０】
調理器具支持部材６０は、図１〜４に示すように、ハウジング２０の平面視における形状に対応する矩形状に形成された天井板６１と、天井板６１の外周縁部から下方に延びる側板６３と、を有している。天井板６１の下面がハウジング２０の開口縁部２１と当接して、調理器具支持部材６０がハウジング２０の開口縁部２１に係止されている。
【００３１】
天井板６１には、上下方向に貫通する貫通孔６２が設けられ、貫通孔６２は、平面視において、ハウジング２０の形状と異なる調理器具７０の形状に対応して形成されている。本実施形態では、貫通孔６２は、後述する段付き円筒状の鍋７１に対応した円形に形成されている。
【００３２】
調理器具７０は、図１、３、４に示すように、本実施形態では、段付き円筒状の鍋７１が用いられている。鍋７１を上側から貫通孔６２に挿入し、天井板６１の貫通孔６２の周辺部分及び貫通孔６２の内周縁部６２ａと、鍋７１の外周面７１ａとを当接させて、鍋７１と、調理器具支持部材６０が係止されている。
【００３３】
本実施形態における加熱装置１０の機能作用を説明する。
【００３４】
図２に示す分解状態から、ハウジング２０の開口縁部２１に調理器具支持部材６０を係止させ、さらに、調理器具支持部材６０の貫通孔６２に鍋７１を挿入して、鍋７１を調理器具支持部材６０に係止させる。
【００３５】
引き出し４０の載置部４１に固形燃料９０を乗せて、ハウジング２０内に引き出し４０を押し入れて、ハウジング２０内に収納したのち、固形燃料９０に着火する。このとき、固形燃料９０は、四枚の規制板４２により、前後左右方向への移動が規制される。
【００３６】
固形燃料９０の火力を弱くしたいときには、下側に配置される左下支持枠５２の第二の水平部５２ｄ及び右下支持枠５４の第二の水平部５４ｄで引き出し４０を支持させ、固形燃料９０の鍋７１からの距離を遠ざけて配置する。
【００３７】
また、固形燃料９０の火力を強くしたいときには、上側に配置される左上支持枠５１の第二の水平部５１ｄ及び右上支持枠５３の第二の水平部５３ｄに引き出し４０を支持させ、固形燃料９０の鍋７１からの距離を近づけて配置する。
【００３８】
調理が終了したら、上述した手順と逆の手順で加熱装置１０を分解し、各部品を清掃しハウジング２０の開口縁部２１に調理器具支持部材６０を係止させ、さらに、調理器具支持部材６０の貫通孔６２に鍋７１を挿入して、鍋７１を調理器具支持部材６０に係止させる。引き出し４０を、上下段のいずれかの支持枠５０に支持させてハウジング２０内に収納する。このとき、新しい固形燃料９０を載置部４１に乗せておくのが望ましい。そして、前壁部２３とガイド部材２７、２８との隙間にスライド扉３０を進入させて、図４に示すように、出入り口２２を閉塞する。
【００３９】
調理器具７０として鉄板７２を用いる場合について、図５に基づいて説明をする。鉄板７２は、ハウジング２０の平面視における形状に対応する矩形状に形成された皿部７３と、皿部７３の開口縁部から外側に突出するつば部７４と、を有している。
【００４０】
ハウジング２０の開口縁部２１につば部７４の下面を当接させて、鉄板７２を、ハウジング２０に係止して使用する。
【００４１】
調理器具７０として焼き網７５を用いる場合について、図６に基づいて説明する。焼き網７５は、ハウジング２０の平面視における形状に対応する矩形状に形成され、かつ、底部に図示しないスリットを有する皿部７６と、皿部７６の開口縁部から外側に突出するつば部７７と、皿部７６の開口部分を覆う格子状の網部７８と、を有している。
【００４２】
ハウジング２０の開口縁部２１につば部７７の下面を当接させて、焼き網７５を、ハウジング２０に係止して使用する。
【００４３】
また、ハウジング２０の開口縁部２１に、調理器具支持部材６０、調理器具７０を係止させることなく、固形燃料９０を燃焼させストーブとして使用することも可能である。
【００４４】
上記構成の加熱装置１０では、上下端が開放された筒状に形成され、上端の開口縁部２１において調理器具７０としての鉄板７２、焼き網７５を係止可能とするとともに、前壁部２３に下端側から上端側に向かって切り欠いて設けられた出入り口２２を有するハウジング２０と、出入り口２２を通過してハウジング２０内外を出入り可能とされ、固形燃料９０が載置される引き出し４０と、ハウジング２０の左壁部２４の内側壁２４ａ、右壁部２５の内側壁２５ａに固定され引き出し４０の左右の下縁を摺動可能に支持する支持枠５０と、を備える加熱装置であって、支持枠５０を構成する左上支持枠５１、左下支持枠５２、右上支持枠５３、右下支持枠５４が、上下方向に複数段配設されている。
【００４５】
これによれば、上下方向に複数段配設された左上支持枠５１、左下支持枠５２、右上支持枠５３、右下支持枠５４により、固形燃料９０が載置される引き出し４０を上下方向における位置を変更させて、ハウジング２０の上端の開口縁部２１で係止される鉄板７２、焼き網７５に対する位置を近づけたり、遠ざけたりすることが可能となり、固形燃料９０の燃焼火力を調節することができる。
【００４６】
また、開口縁部２１に、調理器具支持部材６０を係止させ、調理器具支持部材６０は、上下方向に貫通する貫通孔６２を有するものとし、貫通孔６２を、平面視において、ハウジング２０の形状と異なる調理器具７０としての鍋７１の形状に対応して形成し、貫通孔６２の内周縁部６２ａにおいて鍋７１を係止可能に形成する構成としているので、ハウジング２０と鍋７１とが、平面視における形状が異なる場合でも、調理器具支持部材６０を介して鍋７１を使用することができる。
【００４７】
本考案の加熱装置１０は上記構成に限定されるものではない。即ち、本考案の要旨を逸脱しない限り各種の設計変更等が可能である。以下に、変形した態様を例示する。
【００４８】
例えば、ハウジング２０は、四角筒状に形成しているが、支持枠５０を配設できるのであれば、円筒状、楕円筒状、長円筒状、多角筒状等、適宜変更することができる。
【００４９】
支持枠５０は、上下二段となるように配設されているが、使用状況により上下三段以上となるように配設することもできる。
【００５０】
また、調理器具支持部材６０の天井板６１は、ハウジング２０の、平面視における形状に対応した円形状、楕円形状、長円形状、多角形状等、に適宜変更することができる。
【００５１】
また、調理器具支持部材６０の貫通孔６２は、調理器具７０の、平面視における形状に対応した楕円形状、長円形状、多角形状等、に適宜変更することができる。
【００５２】
また、調理器具７０は、ハウジング２０の上端の開口縁部２１で係止できるのであれば、蒸し器、燻製器等、調理態様に応じて適宜変更して用いることができる。
【符号の説明】
【００５３】
１０  加熱装置
２０  ハウジング
２１  開口縁部
２２  出入り口
２３  前壁部
４０  引き出し
５１  左上支持枠
５２  左下支持枠
５３  右上支持枠
５４  右下支持枠
６０  調理器具支持部材
６２  貫通孔
６２ａ  内周縁部
７０  調理器具
７１  鍋
７２  鉄板
７５  焼き網
９０  固形燃料
【図１】
0003184757.tif 000003
【図２】
0003184757.tif 000004
【図３】
0003184757.tif 000005
【図４】
0003184757.tif 000006
【図５】
0003184757.tif 000007
【図６】
0003184757.tif 000008